(57)【特許請求の範囲】
【請求項１】
生体の状態を測定する生体測定機器から前記生体の状態を示す生体データを取得する生体データ取得部と、
被写体を撮像する撮像部と、
前記撮像部が撮像した撮像画像から前記被写体の顔を特定する被写体特定部と、
前記被写体特定部が特定した前記被写体の顔を含む前記撮像画像と、前記被写体の生体データの取得用の被写体情報とをサーバ装置に送信する送信部と、
前記撮像画像と前記サーバ装置が記憶する撮像者の環境データと特定された前記被写体の生体データとに基づく付加情報が付加されたデータ付加画像を前記サーバ装置から取得するデータ付加画像取得部と、
を備えることを特徴とする情報処理装置。
【請求項２】
複数ある前記情報処理装置のそれぞれから受信した生体データを記憶する前記サーバ装置と通信する通信部と、
前記生体データ取得部が受信した生体データを前記サーバ装置に送信する生体データ送信部と、
をさらに備え、
前記データ付加画像取得部は、
前記被写体情報に基づいて、前記被写体が撮像された前記撮像画像に前記被写体の生体データに基づく前記付加情報が付加された前記データ付加画像を前記サーバ装置から受信する
ことを特徴とする請求項１に記載の情報処理装置。
【請求項３】
複数の情報処理装置とサーバ装置とを備える情報処理システムであって、
前記情報処理装置は、
前記サーバ装置と通信する通信部と、
生体の状態を測定する生体測定機器から前記生体の状態を示す生体データを取得する生体データ取得部と、
前記生体データ取得部が取得した生体データを前記サーバ装置に送信する生体データ送信部と、
被写体を撮像する撮像部と、
前記撮像部が撮像した撮像画像から前記被写体の顔を特定する被写体特定部と、
前記被写体特定部が特定した前記被写体の顔を含む前記撮像画像と、前記被写体の生体データ取得用の被写体情報とを前記サーバ装置に送信する送信部と、
前記撮像画像と前記被写体情報と特定された前記被写体の生体データとに基づく付加情報が付加されたデータ付加画像を前記サーバ装置から受信するデータ付加画像取得部と、
を備え、
前記サーバ装置は、
前記情報処理装置と通信する通信部と、
複数の前記情報処理装置のそれぞれから受信した生体データを記憶する記憶部と、
前記情報処理装置から前記撮像画像と前記被写体情報を受信すると、当該撮像画像の前記被写体の生体データを前記記憶部から読み出し、読み出した前記被写体の生体データに基づく付加情報を当該撮像画像に付加して前記データ付加画像を生成し、当該生成したデータ付加画像を前記情報処理装置に送信する制御部と、
を備えることを特徴とする情報処理システム。
【請求項４】
情報処理装置のコンピュータが、
生体の状態を測定する生体測定機器から前記生体の状態を示す生体データを取得する生体データ取得過程と、
被写体を撮像する撮像過程と、
前記撮像過程により撮像された撮像画像から前記被写体の顔を特定する被写体特定過程と、
前記被写体特定過程により特定された前記被写体の顔を含む前記撮像画像と、前記被写体の生体データの取得用の被写体情報とをサーバ装置に送信する送信過程と、
前記撮像画像と前記サーバ装置が記憶する撮像者の環境データと特定された前記被写体の生体データとに基づく付加情報が付加されたデータ付加画像を前記サーバ装置から取得するデータ付加画像取得過程と、
を有することを特徴とする情報処理方法。
【請求項５】
情報処理装置のコンピュータに、
生体の状態を測定する生体測定機器から前記生体の状態を示す生体データを取得する生体データ取得ステップと、
被写体を撮像する撮像ステップと、
前記撮像ステップにより撮像された撮像画像から前記被写体の顔を特定する被写体特定ステップと、
前記被写体特定ステップにより特定された前記被写体の顔を含む前記撮像画像と、前記被写体の生体データの取得用の被写体情報とをサーバ装置に送信する送信ステップと、
前記撮像画像と前記サーバ装置が記憶する撮像者の環境データと特定された前記被写体の生体データとに基づく付加情報が付加されたデータ付加画像を前記サーバ装置から取得するデータ付加画像取得ステップと、
を実行させるための情報処理プログラム。
【発明の詳細な説明】
【技術分野】
【０００１】
本発明は、情報処理装置、情報処理システム、情報処理方法および情報処理プログラムに関する。
【背景技術】
【０００２】
撮像者が撮像時の状況を容易に想起できるような情報を画像と対応づけて記録する技術がある。たとえば、特許文献１に記載の技術では、環境情報センサ（温度、湿度、気圧、照度、風速、雨量など）を持つカメラにより撮像すると、シャッタボタンの半押し操作に連動して各センサから情報を取得し、シャッタボタンを全押しすることで取得したセンサの情報と画像データとを対応付けて記録する。
【先行技術文献】
【特許文献】
【０００３】
【特許文献１】特開２００６−０８６８２３号公報
【発明の概要】
【発明が解決しようとする課題】
【０００４】
しかしながら、特許文献１に記載の技術では、撮像する被写体となる人物の生体の状態を示すデータを撮像した画像に付加することはできない、という問題がある。
【０００５】
本発明は上記の点に鑑みてなされたものであり、被写体の生体の状態を示すデータを撮像画像に付加することができる情報処理装置、情報処理システム、情報処理方法および情報処理プログラムを提供することを課題とする。
【課題を解決するための手段】
【０００６】
（１）本発明は上記の課題を解決するためになされたものであり、本発明の第１の態様は、生体の状態を測定する生体測定機器から前記生体の状態を示す生体データを取得する生体データ取得部と、被写体を撮像する撮像部と、前記撮像部が撮像した撮像画像に、前記被写体の生体データに基づく付加情報が付加されたデータ付加画像を取得するデータ付加画像取得部と、を備えることを特徴とする情報処理装置である。
【０００７】
（２）また、本発明の第２の態様は、複数の情報処理装置とサーバ装置とを備える情報処理システムであって、前記情報処理装置は、前記サーバ装置と通信する通信部と、生体の状態を測定する生体測定機器から前記生体の状態を示す生体データを取得する生体データ取得部と、前記生体データ取得部が取得した生体データを前記サーバ装置に送信する生体データ送信部と、被写体を撮像する撮像部と、前記撮像部が撮像した撮像画像を前記サーバ装置に送信し、当該撮像画像に前記被写体の生体データに基づく付加情報が付加されたデータ付加画像を前記サーバ装置から受信するデータ付加画像取得部と、を備え、前記サーバ装置は、前記情報処理装置と通信する通信部と、前記情報処理装置から受信した生体データを記憶する記憶部と、前記情報処理装置から前記撮像画像を受信すると、当該撮像画像の被写体の生体データを前記記憶部から読み出し、読み出した生体データに基づく付加情報を当該撮像画像に付加して前記データ付加画像を生成し、当該生成したデータ付加画像を前記情報処理装置に送信する制御部と、を備えることを特徴とする情報処理システムである。
【０００８】
（３）また、本発明の第３の態様は、情報処理装置における情報処理方法であって、生体の状態を測定する生体測定機器から前記生体の状態を示す生体データを取得する生体データ取得過程と、被写体を撮像する撮像過程と、前記撮像過程が撮像した撮像画像に、前記被写体の生体データに基づく付加情報が付加されたデータ付加画像を取得するデータ付加画像取得過程と、を有することを特徴とする情報処理方法である。
【０００９】
（４）また、本発明の第４の態様は、情報処理装置のコンピュータに、生体の状態を測定する生体測定機器から前記生体の状態を示す生体データを取得する生体データ取得ステップと、被写体を撮像する撮像ステップと、前記撮像ステップが撮像した撮像画像に、前記被写体の生体データに基づく付加情報が付加されたデータ付加画像を取得するデータ付加画像取得ステップと、を実行させるための情報処理プログラムである。
【発明の効果】
【００１０】
本発明によれば、被写体の生体の状態を示すデータを撮像画像に付加することができる。よって、より撮像時の状況を想起させることができるデータを撮像画像に付加することができる。
【図面の簡単な説明】
【００１１】
【図１】本発明の第１の実施形態に係る情報処理システムの構成の一例を示す概略ブロック図である。
【図２】第１の実施形態に係る情報処理装置の構成の一例を示す概略ブロック図である。
【図３】第１の実施形態に係る情報処理装置が表示する登録画面の一例を示すイメージ図である。
【図４】第１の実施形態に係るサーバ装置の構成の一例を示す概略ブロック図である。
【図５】第１の実施形態に係るサーバ装置が記憶する生体・環境データの一例を示す概略図である。
【図６】第１の実施形態に係るサーバ装置が生成するデータ付加画像の一例を示すイメージ図である。
【図７】第１の実施形態に係る情報処理システムの動作を示すシーケンス図である。
【図８】第１の実施形態に係る情報処理システムの動作を示すシーケンス図である。
【図９】第１の実施形態に係る情報処理装置が実行する情報処理の一例を示すフローチャートである。
【図１０】本発明の第２の実施形態に係る情報処理システムの動作を示すシーケンス図である。
【図１１】本発明の第３の実施形態に係るサーバ装置が記憶する公開設定データの一例を示す概略図である。
【図１２】第３の実施形態に係るサーバ装置が記憶する公開設定データの他の例を示す概略図である。
【発明を実施するための形態】
【００１２】
以下、図面を参照しながら本発明の実施形態について詳しく説明する。
（第１の実施形態）
まず、本発明の第１の実施形態について説明する。図１は、本発明の第１の実施形態に係る情報処理システムＳ１の構成の一例を示す概略ブロック図である。本図に示すように、情報処理システムＳ１は、複数の健康機器１と、複数の情報処理装置２と、サーバ装置３と、を含んで構成される。
【００１３】
健康機器１は、生体の状態を測定する生体測定機器であり、例えば、歩数計、活動量計、体重計、体組成計、血圧計、心拍計、体温計などである。健康機器１は、ブルートゥース（Ｂｌｕｅｔｏｏｔｈ（登録商標））などの通信路を介して、測定した生体の状態を示す生体データを情報処理装置２に送信する。なお、本例では、健康機器１として、活動量を測定する活動量計１ａと、心拍を測定する心拍計１ｂと、歩数及び移動距離を測定する歩数計１ｃとを示している。
【００１４】
情報処理装置２は、スマートフォン、タブレット、パーソナルコンピュータ、デジタルカメラなどである。情報処理装置２は、健康機器１と通信接続を確立して、健康機器１から当該健康機器１により測定された生体の状態を示す生体データを取得し、取得した生体データを記憶する。また、情報処理装置２は、周囲の環境の状態を検出し、検出した状態を示す環境データと、取得した生体データとを含む生体・環境データをサーバ装置３に送信する。また、情報処理装置２は、被写体を撮像し、撮像した撮像画像（動画像データまたは静止画像データ）をサーバ装置３に送信する。
【００１５】
サーバ装置３は、インターネットなどの通信路を介して、情報処理装置２に通信接続されている。なお、サーバ装置３には、複数の情報処理装置２が通信接続されていてもよい。サーバ装置３は、複数ある情報処理装置２それぞれから受信した生体・環境データを記憶管理する。サーバ装置３は、情報処理装置２から撮像画像を受信すると、受信した撮像画像に、被写体の生体データと撮像画像を撮像した撮像者の環境データとに基づく付加情報を付加したデータ付加画像（動画像データまたは静止画像データ）を生成する。そして、サーバ装置３は、生成したデータ付加画像を撮像者の情報処理装置２と被写体の情報処理装置２とに送信する。
【００１６】
次いで、情報処理装置２について説明する。図２は、本発明の第１の実施形態に係る情報処理装置２の構成の一例を示す概略ブロック図である。情報処理装置２は、制御部２００と、記憶部２１０と、表示部２２０と、入力部２３０と、カメラ機能部２４０と、環境情報センサ２５０と、ＧＰＳ（Ｇｌｏｂａｌ  Ｐｏｓｉｔｉｏｎｉｎｇ  Ｓｙｓｔｅｍ）センサ２６０と、ネットワーク通信部２７０と、を含んで構成される。
【００１７】
制御部２００は、ＣＰＵ（Ｃｅｎｔｒａｌ  Ｐｒｏｃｅｓｓｉｎｇ  Ｕｎｉｔ；中央演算処理装置）を備え、記憶部２１０が記憶するプログラムを実行することで、情報処理装置２の各部を制御する。制御部２００は、生体データ取得部２０１と、生体・環境データ送信部２０２と、データ付加画像取得部２０３と、を含んで構成される。生体データ取得部２０１は、ネットワーク通信部２７０を介して、所定のタイミング（例えば、所定時間毎）に、健康機器１に生体データを要求する要求データを送信して健康機器１から生体データを受信する。生体データ取得部２０１は、受信した生体データを生体情報記憶部２１１に書き込んで記憶する。生体・環境データ送信部２０２は、生体データ取得部２０１が受信した生体データと、環境情報センサ２５０及びＧＰＳセンサ２６０が検出する環境データとを含む生体・環境データをサーバ装置３に送信する。環境データは、周囲の環境の状態を示すデータであり、例えば、気温、湿度または現在位置情報等である。データ付加画像取得部２０３は、撮像部２４２が撮像した撮像画像に、環境データと当該撮像画像の被写体の生体データとに基づく付加情報が付加されたデータ付加画像を取得する。具体的には、データ付加画像取得部２０３は、撮像部２４２が撮像した撮像画像と、顔認識部２４３が特定した撮像画像の被写体の認証データとを含む撮像通知をサーバ装置３に送信する。認証データは被写体の識別情報である。そして、データ付加画像取得部２０３は、環境データと被写体の生体データとに基づく付加情報が撮像画像に付加されたデータ付加画像をサーバ装置３から受信する。
【００１８】
記憶部２１０は、ＲＡＭ（Ｒａｎｄｏｍ  Ａｃｃｅｓｓ  Ｍｅｍｏｒｙ：ランダムアクセスメモリ）、マスクＲＯＭ（Ｒｅａｄ  Ｏｎｌｙ  Ｍｅｍｏｒｙ：ロム）、ＦｅＲＡＭ（Ｆｅｒｒｏｅｌｅｃｔｒｉｃ  Ｒａｎｄｏｍ  Ａｃｃｅｓｓ  Ｍｅｍｏｒｙ：強誘電体メモリ）、フラッシュメモリ、メモリカード、ハードディスク、ＳＳＤ（Ｓｏｌｉｄ  Ｓｔａｔｅ  Ｄｒｉｖｅ：ソリッドステートドライブ）などのメモリであり、制御部２００が実行するプログラムおよび制御部２００が当該プログラムを実行する際に必要となるデータを記憶する。当該プログラムには、アプリケーションやミドルウェアデバイスドライバ、オペレーションシステムなども含まれる。記憶部２１０は、生体情報記憶部２１１と、撮像情報記憶部２１２と、画像データ記憶部２１３と、登録情報記憶部２１４と、を含んで構成される。生体情報記憶部２１１は、各健康機器１から取得した生体データを記憶する。撮像情報記憶部２１２は、環境情報センサ２５０及びＧＰＳセンサ２６０が検出した環境データを記憶する。画像データ記憶部２１３は、撮像部２４２が撮像した撮像画像を記憶する。登録情報記憶部２１４は、各ユーザに関する登録情報を記憶する。登録情報には、ユーザ登録情報及び健康機器登録情報がある。ユーザ登録情報は、ユーザの名前やユーザの顔情報（ユーザの顔を示す画像データ）などのユーザに関する情報である。健康機器登録情報は、ユーザの使用する健康機器１に関する情報である。
【００１９】
表示部２２０は、液晶ディスプレイ、有機ＥＬ（Ｅｌｅｃｔｒｏ  Ｌｕｍｉｎｅｓｃｅｎｃｅ）ディスプレイ、プラズマディスプレイなどの表示装置を備え、画像を表示する。入力部２３０は、タッチパネル、入力キー、マウス、音声入力装置など、ユーザによる入力操作を受け付ける入力デバイスである。
【００２０】
カメラ機能部２４０は、被写体を撮像するカメラに関する機能を実行する。カメラ機能部２４０は、シャッタ検出部２４１と、撮像部２４２と、顔認識部２４３と、を含んで構成される。シャッタ検出部２４１は、撮像を指示するシャッタボタンが入力を受け付けたことを検出する。撮像部２４２は、シャッタ検出部２４１がシャッタボタンの入力を検出すると、被写体を撮像して撮像画像を生成し、生成した撮像画像を制御部２００に出力する。顔認識部２４３（特定部）は、登録情報記憶部２１４が記憶するユーザの顔情報を用いて、パターンマッチング等の顔認識技術により撮像部２４２が撮像する被写体（ユーザ）を特定する。
【００２１】
環境情報センサ２５０（環境情報検出部）は、周囲の環境の状態を検出するセンサであり、例えば、温度計や湿度計などである。ＧＰＳセンサ２６０は、ＧＰＳにより現在位置情報を検出するセンサである。ネットワーク通信部２７０は、健康機器１またはサーバ装置３との間で通信を行う。例えば、ネットワーク通信部２７０は、無線ＬＡＮ（Ｌｏｃａｌ  Ａｒｅａ  Ｎｅｔｗｏｒｋ；ローカルエリアネットワーク）によりサーバ装置３と通信を行う。また、ネットワーク通信部２７０は、ブルートゥースにより健康機器１と通信を行う。なお、ネットワーク通信部２７０は、３Ｇ（第３世代）回線、４Ｇ回線、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ；ワイマックス）、ＬＴＥ（Ｌｏｎｇ  Ｔｅｒｍ  Ｅｖｏｌｕｔｉｏｎ）などのその他の無線通信、あるいは、インターネットなどの有線通信によりサーバ装置３と通信を行ってもよい。また、ネットワーク通信部２７０は、ＮＦＣ（Ｎｅａｒ  Ｆｉｅｌｄ  Ｃｏｍｍｕｎｉｃａｔｉｏｎ；近距離通信）、無線ＬＡＮなどのその他の無線通信、あるいは、ＵＳＢ（Ｕｎｉｖｅｒｓａｌ  Ｓｅｒｉａｌ  Ｂｕｓ；ユーエスビー）やシリアル（例えば、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ））などの有線通信により健康機器１と通信を行ってもよい。
【００２２】
図３は、本発明の第１の実施形態に係る情報処理装置２が表示する登録画面５００の一例を示すイメージ図である。登録画面５００は、ユーザの登録情報を登録するための画面である。情報処理装置２の制御部２００は、登録画面５００において、ユーザの登録情報の入力を受け付ける。また、制御部２００は、登録画面５００において入力を受け付けた登録情報を登録情報記憶部２１４に書き込んで記憶する。
【００２３】
図示するように、登録画面５００では、ユーザの名前５０１、ユーザの顔情報５０２及びユーザの使用する健康機器１に関する情報５０３の登録の入力を受け付ける。健康機器１に関する情報は、ウェアラブルデバイスと、Ｄｅｖｉｃｅｎａｍｅと、取得可能値との項目を有する。ウェアラブルデバイスは、健康機器１の種別である。Ｄｅｖｉｃｅｎａｍｅは、健康機器１の名称である。取得可能値は、健康機器１が測定する生体データから取得可能な値である。また、登録画面５００には、登録された顔情報の画像５０４が表示される。
【００２４】
図示する例では、ユーザ登録情報として、名前「父親」と、顔情報「顔＿父親」とが登録されている。健康機器１に関する情報の１行目は、ウェアラブルデバイスが心拍計１であり、ＤｅｖｉｃｅｎａｍｅがＡＡＡであり、取得可能値が心拍及びストレスである。また、２行目は、ウェアラブルデバイスが活動量計１であり、ＤｅｖｉｃｅｎａｍｅがＢＢＢであり、取得可能値が活動量（単位はｋｃａｌ）である。３行目は、ウェアラブルデバイスが歩数計１であり、ＤｅｖｉｃｅｎａｍｅがＣＣＣであり、取得可能値が歩数（単位は歩）及び距離（単位はｍ（メートル））である。
【００２５】
次いで、サーバ装置３について説明する。図４は、本発明の第１の実施形態に係るサーバ装置３の構成の一例を示す概略ブロック図である。サーバ装置３は、制御部３００と、記憶部３１０と、表示部３２０と、入力部３３０と、通信部３４０と、を含んで構成される。制御部３００は、ＣＰＵを備え、記憶部２１０が記憶するプログラムを実行することで、情報処理装置２の各部を制御する。制御部３００は、情報処理装置２から登録情報を受信すると、受信した登録情報を記憶部３１０に書き込んで記憶する。制御部３００は、情報処理装置２から生体・環境データを受信すると、受信した生体・環境データを記憶部３１０に書き込んで記憶する。また、制御部３００は、情報処理装置２から撮像画像を受信すると、当該情報処理装置２に対応する環境データと撮像画像の被写体の生体データとを記憶部３１０から読み出し、読み出した環境データ及び生体データに基づく付加情報を撮像画像に付加してデータ付加画像を生成する。そして、制御部３００は、生成したデータ付加画像を撮像者の情報処理装置２と被写体の情報処理装置２とに送信する。
【００２６】
記憶部３１０は、ＲＡＭ、マスクＲＯＭ、ＦｅＲＡＭ、フラッシュメモリ、メモリカード、ハードディスク、ＳＳＤなどのメモリであり、制御部３００が実行するプログラムおよび制御部３００が当該プログラムを実行する際に必要となるデータを記憶する。当該プログラムには、アプリケーションやミドルウェアデバイスドライバ、オペレーションシステムなども含まれる。記憶部３１０は、複数の情報処理装置２それぞれから受信した各ユーザの生体・環境データを記憶する。また、記憶部３１０は、複数の情報処理装置２それぞれから受信した各ユーザの登録情報を記憶する。
【００２７】
表示部３２０は、液晶ディスプレイ、有機ＥＬディスプレイ、プラズマディスプレイなどの表示装置を備え、画像を表示する。入力部３３０は、タッチパネル、入力キー、マウス、音声入力装置など、ユーザによる入力操作を受け付ける入力デバイスである。通信部３４０は、情報処理装置２と通信する。
【００２８】
図５は、本発明の第１の実施形態に係るサーバ装置３が記憶する生体・環境データの一例を示す概略図である。図示するように、生体・環境データは、ユーザ名と、端末ＩＤと、生体・環境テーブルとを有するデータである。サーバ装置３の記憶部３１０は、生体・環境データをユーザ毎に記憶している。ユーザ名は、ユーザの名称である。端末ＩＤは、ユーザの使用する情報処理装置２の識別情報である。生体・環境テーブルは、データ名と、単位と、測定データと、測定日時と、の各項目の列を有する行と列からなる２次元の表形式のデータである。データ名は、生体データまたは環境データの名称である。単位は、データの単位である。測定データは、測定した値である。測定日時は、測定した日時である。
【００２９】
図示する例では、ユーザ名がＡであり、端末ＩＤが０９０１１１１１１である。また、生体・環境テーブルの１行目は、データ名が消費カロリであり、単位がｋｃａｌであり、測定データが８００であり、測定日時が２０１４/１２/２２  １１：１１：１１である。２行目は、データ名が消費カロリであり、単位がｋｃａｌであり、測定データが９００であり、測定日時が２０１４/１２/２２  １２：１１：１１である。３行目は、データ名が歩数であり、単位が歩であり、測定データが３０００であり、測定日時が２０１４/１２/２２  １１：１１：１１である。４行目は、データ名が歩数であり、単位が歩であり、測定データが４０００であり、測定日時が２０１４/１２/２２  １２：１１：１１である。５行目は、データ名が心拍数であり、単位がｂｍｐであり、測定データが２０１４１２２２１１１１１１.ｌｏｇであり、測定日時が２０１４/１２/２２  １１：１１：１１−２０１４/１２/２２  １２：１１：１１である。６行目は、データ名が心拍数であり、単位がｂｍｐであり、測定データ及び測定日時は記録されていない。本例に示すように、心拍数のように連続して送信されてくるデータは、データの取得開始と終了日時を記録してファイルに管理する。７行目は、データ名が気温であり、単位が℃であり、測定データが２１であり、測定日時が２０１４/１２/２２  １１：１１：１１である。８行目は、データ名が気温であり、単位が℃であり、測定データが２３であり、測定日時が２０１４/１２/２２  １２：１１：１１である。９行目は、データ名が現在位置であり、単位が経緯度であり、測定日時が２０１４/１２/２２  １１：１１：１１である。８行目は、データ名が現在位置であり、単位が経緯度であり、測定日時が２０１４/１２/２２  １２：１１：１１である。
【００３０】
図６は、本発明の第１の実施形態に係るサーバ装置３が生成するデータ付加画像６００の一例を示すイメージ図である。データ付加画像６００には、撮像画像６０１と、撮像画像６０１を撮像した情報処理装置２に対応する環境データ６０２に基づく付加情報と、撮像画像６０１にいる被写体の生体データに基づく付加情報６０３とが含まれる。
【００３１】
図示する例では、データ付加画像６００には、環境データ６０２に基づく付加情報として、気温「２６℃」と、湿度「６０％」と、風速「１０ｍ」と、天気「曇りのち晴れ」と、場所「東京  ○○山  頂上付近」とが含まれる。サーバ装置３の制御部３００は、撮像者の生体・環境データにある最新の気温を記憶部３１０から読み出す。また、制御部３００は、記憶部３１０が記憶している撮像者の生体・環境データにある最新の現在位置に基づいて、湿度、風速、天気、及び場所を特定する。そして、制御部３００は、読み出した気温と、特定した湿度、風速、天気、及び場所とを含む付加情報を生成して撮像画像６０１に付加する。
【００３２】
また、データ付加画像６００には、被写体の生体データに基づく付加情報６０３として、撮像画像６０１にいる子供Ａの心拍「６０」と、ストレス「あり」と、活動量「ＣＣＣ」と、歩数「８０００歩」と、距離「２０００ｍ」とが含まれる。また、被写体の生体データに基づく付加情報６０３として、撮像画像６０１にいる父親の心拍「９０」と、ストレス「なし」と、活動量「ＡＡＡ」と、歩数「４０００歩」と、距離「２０００ｍ」とが含まれる。サーバ装置３の制御部３００は、各被写体の生体・環境データにある最新の心拍数と、歩数と、距離とを記憶部３１０から読み出す。また、制御部３００は、記憶部３１０が記憶している被写体の生体・環境データにある心拍数に基づいてストレスの「あり」または「なし」を判定する。例えば、サーバ装置３は、心拍数が所定の範囲内にあるときはストレス「なし」と判定し、心拍数が所定の範囲外にあるときはストレス「あり」と判定する。また、制御部３００は、記憶部３１０が記憶している被写体の生体・環境データにある消費カロリに基づいて活動量を特定する。また、制御部３００は、記憶部３１０が記憶している被写体の生体・環境データの歩数に基づいて、距離（ユーザの移動距離）を算出する。そして、制御部３００は、読み出した心拍数と、判定したストレスと、特定した活動量と、読み出した歩数と、算出した距離とを含む付加情報を生成して撮像画像６０１に付加する。
【００３３】
次に、情報処理システムＳ１の動作を説明する。以下、説明の便宜を図るため、被写体を撮像する撮像者の情報処理装置２を撮像者情報処理装置２Ａと称し、被写体の情報処理装置２を被写体情報処理装置２Ｂと称する。また、撮像者の健康機器１を撮像者健康機器１Ａと称し、被写体の健康機器１を被写体健康機器１Ｂと称する。
【００３４】
図７は、本発明の第１の実施形態に係る情報処理システムＳ１の動作を示すシーケンス図である。撮像者情報処理装置２Ａは、登録画面において、ユーザ登録情報が入力されると、入力されたユーザ登録情報をサーバ装置３に送信する（ステップＳＴ１０１）。同様に、被写体情報処理装置２Ｂは、登録画面において、ユーザ登録情報が入力されると、入力されたユーザ登録情報をサーバ装置３に送信する（ステップＳＴ１０２）。また、撮像者情報処理装置２Ａは、登録画面において、健康機器登録情報が入力されると、入力された健康機器登録情報をサーバ装置３に送信する（ステップＳＴ１０３）。同様に、被写体情報処理装置２Ｂは、登録画面において、健康機器登録情報が入力されると、入力された健康機器登録情報をサーバ装置３に送信する（ステップＳＴ１０４）。サーバ装置３は、撮像者情報処理装置２Ａ及び被写体情報処理装置２Ｂから受信したユーザ登録情報及び健康機器登録情報を記憶する。ステップＳＴ１０１〜ＳＴ１０４までの処理が、初期設定である。
【００３５】
図８は、本発明の第１の実施形態に係る情報処理システムＳ１の動作を示すシーケンス図である。情報処理装置２は、所定のタイミングになると、生体データを要求する要求データを健康機器１に送信する。撮像者健康機器１Ａは、撮像者情報処理装置２Ａから要求データを受信すると、測定した生体データを撮像者情報処理装置２Ａに送信する（ステップＳＴ２０１）。撮像者情報処理装置２Ａは、生体データを受信すると、当該生体データと環境情報センサ２５０及びＧＰＳセンサ２６０が検出する環境データとを含む生体・環境データを生成し、生成した生体・環境データをサーバ装置３に送信する（ステップＳＴ２０２）。被写体健康機器１Ｂは、被写体情報処理装置２Ｂから要求データを受信すると、測定した生体データを被写体情報処理装置２Ｂに送信する（ステップＳＴ２０３）。被写体情報処理装置２Ｂは、生体データを受信すると、当該生体データと環境情報センサ２５０及びＧＰＳセンサ２６０が検出する環境データとを含む生体・環境データを生成し、生成した生体・環境データをサーバ装置３に送信する（ステップＳＴ２０４）。
【００３６】
撮像者情報処理装置２Ａは、ユーザの操作入力により所定のアプリケーションが起動し撮像部２４２が撮像を開始すると、撮像されている被写体のユーザを特定する。具体的には、撮像者情報処理装置２Ａの顔認識部２４３は、登録情報記憶部２１４が記憶している各ユーザの顔情報を用いてパターンマッチング等の顔認識技術により、撮像部２４２が撮像しているユーザを特定する。そして、撮像者情報処理装置２Ａは、特定したユーザの被写体情報処理装置２Ｂにデータ取得用認証を送信する（ステップＳＴ２０５）。データ取得用認証は、被写体となるユーザの生体・環境データを取得する許可を要求するデータである。被写体情報処理装置２Ｂは、データ取得用認証を受信すると、当該データ取得用認証に対する応答を撮像者情報処理装置２Ａに送信する（ステップＳＴ２０６）。データ取得用認証に対する応答は、生体・環境データの取得を許可する（ＯＫ）または許可しない（ＮＧ）を示すデータである。本例では、データ取得用認証の応答はＯＫである。
【００３７】
撮像者情報処理装置２Ａは、入力部２３０がシャッタボタンの入力を受け付けると、被写体を撮像して撮像画像を生成する（ステップＳＴ２０７）。続いて、撮像者情報処理装置２Ａは、撮像通知をサーバ装置３に送信する（ステップＳＴ２０８）。撮像通知は、撮像画像と被写体情報処理装置２Ｂの認証データとを含むデータである。サーバ装置３は、撮像通知を受信すると、撮像者の環境データと被写体の生体データと撮像通知に含まれる撮像画像とに基づいてデータ付加画像を生成する。そして、サーバ装置３は、生成したデータ付加画像を撮像者情報処理装置２Ａに送信する（ステップＳＴ２０９）。続いて、サーバ装置３は、撮像通知に含まれる認証データが示す被写体情報処理装置２Ｂに、生成したデータ付加画像を送信する（ステップＳＴ２１０）。
【００３８】
図９は、本発明の第１の実施形態に係る情報処理装置２が実行する情報処理の一例を示すフローチャートである。情報処理装置２は、所定のアプリケーションが起動して、撮像部２４２が撮像を開始したときに本処理を実行する。
【００３９】
ステップＳＴ３０１において、顔認識部２４３は、登録情報記憶部２１４が記憶している各ユーザの顔情報を用いてパターンマッチング等の顔認識技術により、撮像部２４２が撮像しているユーザを特定する。その後、ステップＳＴ３０２の処理に進む。
ステップＳＴ３０２において、制御部２００は、顔認識部２４３が特定した被写体の被写体情報処理装置２Ｂに、ネットワーク通信部２７０からデータ取得用認証を送信する。その後、ステップＳＴ３０３の処理に進む。
【００４０】
ステップＳＴ３０３において、制御部２００は、入力部２３０においてシャッタボタンが入力を受け付けたか否かを判定する。シャッタボタンが入力を受け付けたと制御部２００が判定した場合にはステップＳＴ３０４の処理に進む。また、シャッタボタンが入力を受け付けていないと制御部２００が判定した場合にはステップＳＴ３０３の処理を再度実行する。
【００４１】
ステップＳＴ３０４において、制御部２００は、撮像部２４２により被写体を撮像して撮像画像を生成する。その後、ステップＳＴ３０５の処理に進む。
ステップＳＴ３０５において、制御部２００は、ステップＳＴ３０２において送信したデータ取得用認証に対する応答がＯＫであるかＮＧであるかを判定する。応答がＯＫであると制御部２００が判定した場合にはステップＳＴ３０６の処理に進む。また、応答がＮＧであると制御部２００が判定した場合にはステップＳＴ３０７の処理に進む。
【００４２】
ステップＳＴ３０６において、制御部２００は、撮像画像と被写体の認証データとを含む撮像通知をネットワーク通信部２７０からサーバ装置３に送信する。その後、ステップＳＴ３０８の処理に進む。
ステップＳＴ３０７において、制御部２００は、撮像画像のみを含む撮像通知をネットワーク通信部２７０からサーバ装置３に送信する。その後、ステップＳＴ３０８の処理に進む。
【００４３】
ステップＳＴ３０８において、制御部２００は、ネットワーク通信部２７０がデータ付加画像をサーバ装置３から受信したか否かを判定する。データ付加画像を受信したと制御部２００が判定した場合にはステップＳＴ３０９の処理に進む。また、データ付加画像を受信していないと制御部２００が判定した場合にはステップＳＴ３０８の処理を再度実行する。
ステップＳＴ３０９において、制御部２００は、受信したデータ付加画像を表示部２２０に表示する。なお、ステップＳＴ３０２におけるデータ取得用認証に対する応答がＯＫである場合には、当該データ付加画像には、環境データと被写体の生体データが付加されている。また、ステップＳＴ３０２におけるデータ取得用認証に対する応答がＮＧである場合には、当該データ付加画像には環境データのみが付加されている。その後、処理を終了する。
【００４４】
このように、本実施形態によれば、情報処理装置２は、サーバ装置３と通信するネットワーク通信部２７０と、生体の状態を測定する生体測定機器（健康機器１）から生体の状態を示す生体データを受信する生体データ取得部２０１と、生体データ取得部２０１が受信した生体データと環境情報センサ２５０及びＧＰＳセンサ２６０が検出した環境データとを含む生体・環境データをサーバ装置３に送信する生体・環境データ送信部２０２と、被写体を撮像する撮像部２４２と、撮像部２４２が撮像した撮像画像をサーバ装置３に送信し、被写体の生体データと撮像者の環境データとに基づく付加情報が撮像画像に付加されたデータ付加画像をサーバ装置３から受信して取得するデータ付加画像取得部２０３と、を備える。サーバ装置３は、情報処理装置２と通信する通信部３４０と、情報処理装置２から受信した生体・環境データを記憶する記憶部３１０と、情報処理装置２から撮像画像を受信すると、当該撮像画像の被写体の生体データと撮像者の環境データとを記憶部３１０から読み出し、読み出した生体データ及び環境データに基づく付加情報を当該撮像画像に付加してデータ付加画像を生成し、生成したデータ付加画像を情報処理装置２に送信する制御部３００と、を備える。
【００４５】
これにより、情報処理装置２は、被写体の生体データと撮像者の環境データとに基づく付加情報が撮像画像に付加されたデータ付加画像を取得することができる。よって、撮像者によらず、撮像時の状況を想起させることができるデータを撮影画像に付帯することができる。
【００４６】
（第２の実施形態）
次に、本発明の第２の実施形態について説明する。第２の実施形態における情報処理システムＳ１の構成は、第１の実施形態における構成と同様であるため、その説明を省略する。第１の実施形態では、撮像者情報処理装置２Ａが被写体を特定しているが、本実施形態では、サーバ装置３が撮像画像の被写体を特定する。
【００４７】
本実施形態におけるユーザ登録情報には、データを共有する仲間（ユーザ）がさらに含まれる。情報処理装置２の制御部２００は、登録画面において、データを共有する仲間の入力を受け付ける。そして、制御部２００は、入力されたデータを共有する仲間を含むユーザ登録情報を登録情報記憶部２１４に書き込むとともに、サーバ装置３に送信する。
【００４８】
サーバ装置３の制御部３００は、情報処理装置２からユーザ登録情報を受信すると、受信したユーザ登録情報を記憶部３１０に書き込んで記憶する。そして、制御部３００は、撮像者情報処理装置２Ａから撮像通知を受信すると、当該撮像者情報処理装置２Ａに対応するデータを共有する仲間に含まれるユーザの顔情報と現在位置とに基づいて被写体を特定する。例えば、制御部３００は、撮像者情報処理装置２Ａの近くにいるユーザの顔情報を用いてパターンマッチング等の顔認識技術により被写体を特定する。続いて、制御部３００は、特定した被写体の生体データと撮像者の環境データを記憶部３１０から読み出し、読み出した生体データ及び環境データに基づく付加情報を撮像画像に付加してデータ付加画像を生成する。そして、制御部３００は、生成したデータ付加画像を通信部３４０から撮像者情報処理装置２Ａ及び被写体情報処理装置２Ｂに送信する。
【００４９】
図１０は、本発明の第２の実施形態に係る情報処理システムＳ１の動作を示すシーケンス図である。なお、本実施形態における初期設定は、第１の実施形態と同様であるため、その説明を省略する。ステップＳＴ５０１〜ＳＴ５０４までの処理は、上述したステップＳＴ２０１〜ＳＴ２０４までの処理と同様であるため、その説明を省略する。
【００５０】
撮像者情報処理装置２Ａは、ユーザから入力を受け付けた操作により所定のアプリケーションが起動して撮像部２４２が撮像を開始し、入力部２３０がシャッタボタンの入力を受け付けると、被写体を撮像して撮像画像を生成する（ステップＳＴ５０５）。続いて、撮像者情報処理装置２Ａは、撮像通知をサーバ装置３に送信する（ステップＳＴ５０６）。当該撮像通知には、撮像画像が含まれる。サーバ装置３は、撮像通知を受信すると、撮像画像の被写体を特定する。続いて、サーバ装置３は、特定した被写体の生体データと撮像者の環境データと撮像通知に含まれる撮像画像とに基づいてデータ付加画像を生成する。そして、サーバ装置３は、生成したデータ付加画像を撮像者情報処理装置２Ａに送信する（ステップＳＴ５０７）。続いて、サーバ装置３は、特定した被写体の被写体情報処理装置２Ｂに、生成したデータ付加画像を送信する（ステップＳＴ５０８）。
【００５１】
このように、本実施形態によれば、第１の実施形態における構成に加えて、サーバ装置３の制御部２００は、予め記憶している撮像者に対応するデータを共有する仲間の顔情報と現在位置とに基づいて、撮像画像の被写体を特定し、特定した被写体の生体データ及び撮像者の環境データに基づく付加情報を撮像画像に付加してデータ付加画像を生成する。これにより、本実施形態によれば、第１の実施形態における効果に加えて、撮像者情報処理装置２Ａは、被写体を特定して被写体情報処理装置２Ｂにデータ取得用認証を行う必要がない。すなわち、情報処理装置２における処理負荷を軽減することができる。
【００５２】
（第３の実施形態）
次に、本発明の第３の実施形態について説明する。第３の実施形態における情報処理システムＳ１の構成は、第１の実施形態における構成と同様であるため、その説明を省略する。第１の実施形態では、サーバ装置３は、全ての生体・環境データに基づいてデータ付加画像を生成しているが、本実施形態では、データ付加画像に用いる生体・環境データを予め選択して設定することができる。
【００５３】
情報処理装置２の制御部２００は、登録画面において、各生体・環境データを公開（撮像画像に付加する）にするか非公開（撮像画像に付加しない）にするかの選択入力を受け付ける。そして、制御部２００は、選択入力を受け付けた公開設定データをユーザ登録情報に含めて登録情報記憶部２１４に記憶するとともにサーバ装置３に送信する。
【００５４】
サーバ装置３の制御部３００は、情報処理装置２からユーザ登録情報を受信すると、受信したユーザ登録情報を記憶部３１０に書き込んで記憶する。図１１は、本発明の第３の実施形態に係るサーバ装置３が記憶する公開設定データの一例を示す概略図である。公開設定データは、ユーザ名と、各生体・環境データの種別（心拍数、ストレス、活動量、歩数及び距離）との各項目を有する行と列からなる２次元の表形式のデータである。各生体・環境データの種別には、公開「○」または非公開「×」が設定されている。
【００５５】
図示する例では、公開設定データの１行目は、ユーザ名が父親であり、心拍数は○であり、ストレスは○であり、活動量は○であり、歩数は○であり、距離は○である。また、２行目は、ユーザ名が母親であり、心拍数は○であり、ストレスは×であり、活動量は○であり、歩数は○であり、距離は○である。また、３行目は、ユーザ名が子供Ｂであり、心拍数は○であり、ストレスは○であり、活動量は○であり、歩数は○であり、距離は○である。また、４行目は、ユーザ名が子供Ｂであり、心拍数は○であり、ストレスは○であり、活動量は○であり、歩数は×であり、距離は×である。
【００５６】
サーバ装置３の制御部３００は、撮像者情報処理装置２Ａから撮像通知を受信すると、撮像画像の被写体の公開設定データと撮像者の公開設定データとを記憶部３１０から読み出す。続いて、制御部３００は、読み出した公開設定データにおいて公開が設定されている被写体の生体データと撮像者の環境データとを記憶部３１０から読み出す。続いて、制御部３００は、読み出した生体データ及び環境データに基づく付加情報を撮像画像に付加してデータ付加画像を生成する。そして、制御部３００は、生成したデータ付加画像を通信部３４０から撮像者情報処理装置２Ａ及び被写体情報処理装置２Ｂに送信する。
【００５７】
本実施形態における情報処理システムＳ１の動作は、第１の実施形態または第２の実施形態に示す動作と同様であるため、その説明を省略する。
【００５８】
なお、本実施形態に示す例では、各生体データの公開または非公開を設定できるようにしたが、環境データ（例えば、現在位置等）についても同様に公開または非公開を設定できるようにしてもよい。また、特定のユーザに対して生体・環境データの公開または非公開を設定できるようにしてもよい。
【００５９】
図１２は、本発明の第３の実施形態に係るサーバ装置３が記憶する公開設定データの他の例を示す概略図である。サーバ装置３の記憶部３１０は、ユーザ毎に公開設定データを記憶している。本図には、ユーザＡの公開設定データの一例を示している。
【００６０】
図１２（Ａ）は、各ユーザ対して生体・環境データの公開または非公開を設定する場合の例である。図示するように、公開設定データは、生体・環境データの種別と、対象となる各ユーザ（Ｂ，Ｃ，Ｄ）との各項目の列を有する行と列からなる２次元の表形式のデータである。各ユーザには、公開「○」または非公開「×」が設定されている。公開「○」は、対応する種別の生体・環境データを、対応するユーザに対して公開することを示す。また、非公開「×」は、対応する種別の生体・環境データを、対応するユーザに対して非公開にすることを示す。図示する例では、公開設定データの１行目は、種別が生年月日であり、Ｂが○であり、Ｃが○であり、Ｄが×である。２行目は、種別が現在位置であり、Ｂが○であり、Ｃが○であり、Ｄが×である。３行目は、種別が心拍数であり、Ｂが○であり、Ｃが○であり、Ｄが○である。４行目は、種別がストレスであり、Ｂが○であり、Ｃが○であり、Ｄが×である。５行目は、種別が歩数であり、Ｂが○であり、Ｃが○であり、Ｄが○である。６行目は、種別が体重であり、Ｂが○であり、Ｃが×であり、Ｄが×である。
【００６１】
このように設定することで、例えば、サーバ装置２は、ユーザＡのストレスが高い時にユーザＢ及びユーザＣと一緒に撮像した撮像画像にはユーザＡの背景がどんよりとしたもの加工をすることができる。また、サーバ装置２は、ユーザＡの生年月日の日にユーザＢ及びユーザＣと一緒に撮像した撮像画像にはユーザＡのお誕生日をお祝いする加工をすることができる。また、サーバ装置２は、ユーザＡの生年月日及びストレスがユーザＤに対して非公開と設定されているため、ユーザＤと一緒に撮像した撮像画像には、公開が設定されている生体・環境データのみで加工する。
【００６２】
図１２（Ｂ）は、各グループ対して生体・環境データの公開または非公開を設定する場合の例である。図示するように、公開設定データは、生体・環境データの種別と、対象となる各グループ（グループ１及びグループ２）との各項目の列を有する行と列からなる２次元の表形式のデータである。各グループには、公開「○」または非公開「×」が設定されている。公開「○」は、対応する種別の生体・環境データを、対応するグループに対して公開することを示す。また、非公開「×」は、対応する種別の生体・環境データを、対応するグループに対して非公開にすることを示す。図示する例では、グループ１に含まれるユーザはＥ，Ｆ，Ｇであり、グループ２に含まれるユーザはＨ，Ｉである。公開設定データの１行目は、種別が生年月日であり、グループ１が○であり、グループ２が×である。２行目は、種別が現在位置であり、グループ１が○であり、グループ２が×である。３行目は、種別が心拍数であり、グループ１が○であり、グループ２が○である。４行目は、種別がストレスであり、グループ１が○であり、グループ２が×である。５行目は、種別が歩数であり、グループ１が○であり、グループ２が○である。６行目は、種別が体重であり、グループ１が×であり、グループ２が×である。
【００６３】
このように、本実施形態によれば、第１の実施形態または第２の実施形態における構成に加えて、情報処理装置２の制御部２００は、各生体・環境データの公開または非公開の選択入力を受け付け、選択入力を受け付けた公開設定データをユーザ登録情報に含めてサーバ装置３に送信する。サーバ装置３の制御部３００は、公開設定データにおいて公開に設定されている生体・環境データのみに基づいた付加情報を撮像画像に付加してデータ付加画像を生成する。これにより、本実施形態によれば、第１の実施形態または第２の実施形態における効果に加えて、ユーザは公開したい生体・環境データのみ用いて撮像画像に付加情報を付加することができる。
【００６４】
なお、上述した実施形態における情報処理装置２またはサーバ装置３の一部、例えば、制御部２００または制御部３００をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、情報処理装置２またはサーバ装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００６５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００６６】
例えば、上述した実施形態では、サーバ装置３がデータ付加画像を生成して撮像者情報処理装置２Ａ及び被写体情報処理装置２Ｂに送信しているが、これに限らず、撮像者情報処理装置２Ａがデータ付加画像を生成して被写体情報処理装置２Ｂに送信してもよい。この場合、撮像者情報処理装置２Ａは、データ取得用認証時に被写体情報処理装置２Ｂから被写体の生体データを受信し、受信した生体データに基づいてデータ付加画像を生成する。
【００６７】
また、上述した実施形態では、情報処理装置２は、予め設定された所定のタイミングに生体・環境データをサーバ装置３に送信しているが、これに限らず、サーバ装置３に生体・環境データを送信するタイミングは、撮像画像の送信時であってもよい。
【００６８】
また、上述した実施形態では、サーバ装置３はデータ付加画像を生成すると、情報処理装置２にデータ付加画像を送信しているが、これに限らず、サーバ装置３は生成したデータ付加画像を記憶し、情報処理装置２から要求を受信したときに、記憶したデータ付加画像を情報処理装置２に送信してもよい。これにより、情報処理装置２は、任意のタイミングでデータ付加画像を取得することができる。
【００６９】
（１）生体の状態を測定する生体測定機器から生体の状態を示す生体データを取得する生体データ取得部と、被写体を撮像する撮像部と、撮像部が撮像した撮像画像に、被写体の生体データに基づく付加情報が付加されたデータ付加画像を取得するデータ付加画像取得部と、を備えることを特徴とする情報処理装置。
【００７０】
（２）複数ある情報処理装置それぞれから受信した生体データを記憶するサーバ装置と通信する通信部と、生体データ取得部が受信した生体データを前記サーバ装置に送信する生体データ送信部と、をさらに備え、データ付加画像取得部は、撮像画像をサーバ装置に送信し、撮像画像に付加情報が付加されたデータ付加画像をサーバ装置から受信することを特徴とする（１）に記載の情報処理装置。
【００７１】
（３）複数の情報処理装置とサーバ装置とを備える情報処理システムであって、情報処理装置は、前記サーバ装置と通信する通信部と、生体の状態を測定する生体測定機器から生体の状態を示す生体データを取得する生体データ取得部と、生体データ取得部が取得した生体データをサーバ装置に送信する生体データ送信部と、被写体を撮像する撮像部と、撮像部が撮像した撮像画像をサーバ装置に送信し、撮像画像に被写体の生体データに基づく付加情報が付加されたデータ付加画像をサーバ装置から受信するデータ付加画像取得部と、を備え、サーバ装置は、情報処理装置と通信する通信部と、情報処理装置から受信した生体データを記憶する記憶部と、情報処理装置から撮像画像を受信すると、撮像画像の被写体の生体データを記憶部から読み出し、読み出した生体データに基づく付加情報を撮像画像に付加してデータ付加画像を生成し、生成したデータ付加画像を情報処理装置に送信する制御部と、を備えることを特徴とする情報処理システム。
【００７２】
（４）情報処理装置における情報処理方法であって、生体の状態を測定する生体測定機器から生体の状態を示す生体データを取得する生体データ取得過程と、被写体を撮像する撮像過程と、撮像過程が撮像した撮像画像に、被写体の生体データに基づく付加情報が付加されたデータ付加画像を取得するデータ付加画像取得過程と、を有することを特徴とする情報処理方法。
【００７３】
（５）情報処理装置のコンピュータに、生体の状態を測定する生体測定機器から前記生体の状態を示す生体データを取得する生体データ取得ステップと、被写体を撮像する撮像ステップと、撮像ステップが撮像した撮像画像に、被写体の生体データに基づく付加情報が付加されたデータ付加画像を取得するデータ付加画像取得ステップと、を実行させるための情報処理プログラム。
【符号の説明】
【００７４】
Ｓ１・・・情報処理システム、１・・・健康機器、２・・・情報処理装置、３・・・サーバ装置、２００・・・制御部、２１０・・・記憶部、２２０・・・表示部、２３０・・・入力部、２４０・・・カメラ機能部、２５０・・・環境情報センサ、２６０・・・ＧＰＳセンサ、２７０・・・ネットワーク通信部、３００・・・制御部、３１０・・・記憶部、３２０・・・表示部、３３０・・・入力部、３４０・・・通信部
【図１】
0006467706.tif 000002
【図２】
0006467706.tif 000003
【図３】
0006467706.tif 000004
【図４】
0006467706.tif 000005
【図５】
0006467706.tif 000006
【図６】
0006467706.tif 000007
【図７】
0006467706.tif 000008
【図８】
0006467706.tif 000009
【図９】
0006467706.tif 000010
【図１０】
0006467706.tif 000011
【図１１】
0006467706.tif 000012
【図１２】
0006467706.tif 000013